(57)【特許請求の範囲】
【請求項１】
シリンダー胴１及びプラグ２の複数のコラムそれぞれに上下タンブラー３、４を挿入し、
一部のコラムにおいて上下タンブラー３、４の間に補助タンブラー５を介在させ、該補助タンブラー５の上端をシリンダー胴１とプラグ２のシャーライン上に揃える鍵山を有するキーＫ１と同補助タンブラー５の下端をシリンダー胴１とプラグ２のシャーライン上に揃える鍵山を有するキーＫ２の二種類のキーにより施、解錠操作できるようにするとともに、前記プラグ２の一部に前後長手方向の溝２１を形成してなるシリンダー錠であって、
前記二種類のキーＫ１、Ｋ２は常時において施、解錠操作ができる構成であり、
前記溝２１には、補助タンブラー５を受ける山部６１とその山部に連続するテーパー部６２並びにこのテーパー部６２に連続する谷部６３を有する制御部材６を、常時プラグ前面側に付勢したスプリング７を介して前後摺動自在に嵌挿してなり、
前記キーＫ２によりプラグ２を回動して補助タンブラー５が制御部材６の山部６１で受けられている場合に、制御部材６のプラグ２前面側をスプリング７の復元力に抗して押し込むことにより、補助タンブラー５は上部タンブラー３のスプリング３１により制御部材６の谷部３の凹部に収納され、この押し込み状態でキーＫ２を元のキーの挿脱位置まで回動してキーＫ２を抜き、補助タンブラー５をコラムから除去することによりキーＫ１の使用を禁止し、
前記キーＫ２を使用してプラグ２を溝２１がシリンダー胴１のコラムと一致する位置まで回動することにより、溝２１内の制御部材６はスプリング７の復元力により前方へ移動して、補助タンブラー５はテーパー部６２の作用で押し上げられシリンダー胴１のコラム内に戻り、キーＫ１の使用が可能となるように構成してあることを特徴とするシリンダー錠。
【発明の詳細な説明】
【０００１】
【産業上の利用分野】
本発明は、鍵山の異なる二種類のキーで施、解錠操作できるようにしたシリンダー錠において、一時的に一種類のキーの使用を禁止することができるとともに、当該使用禁止されたキーを再び使用できるシリンダー錠に関するものである。
【０００２】
【従来技術】
従来から、補助タンブラーを使用して最初は工事用キーで施、解錠操作できるようにし、建物の建築工事が終了したときにその工事用キーの使用を不能とし、入居者用のキーのみの使用を可能としたコンストラクションキー用のシリンダー錠は公知である。
【０００３】
【従来技術の問題点】
このコンストラクションキー用のシリンダー錠にあっては、建物の建築工事終了後、一旦工事用キーの使用を不可能とする操作をした後は補助タンブラーがプラグに形成された孔に落ち込み、元の位置に戻ることがないので、建築工事終了後、二種類のキーの使用を可能としたい場合が生じたときとかシリンダー錠の製作過程における製品検査の際に、使用してはならないキーを誤って使用してしまった場合があっても錠自体を分解して補助タンブラーを元の位置に戻す方法以外なかった。
【０００４】
つまり、従来のコンストラクションキー用のシリンダー錠にあっては、建物の工事中と工事終了後の安全性確保だけを目的としたもので、一旦工事用の一種類のキーの使用を不可能とする操作をした後は、元の工事用キーで施、解錠操作することができるようにする可逆性がなかった。即ち、一時的に一種類のキーの使用を禁止したい場合が生じても元の状態に戻すことは不可能であり、また、そのような目的で使用されるシリンダー錠はいままでなかった。
【０００５】
一時的に一種類のキーの使用を禁止したい場合とは、例えば、管理人が一種類のキーを保有し、部屋の使用者が他の種類のキーを所有するアパート、貸しマンション、ホテル等の集合住宅等を管理する場合であって、家賃を滞納したまま部屋を使用している者の所有するキーの使用を一時的に禁止し、滞納家賃の清算が完了したときに再び元のキーの使用を可能とする場合、或いは、ホテル等において事件が発生し、外出している利用者全員或いは特定の利用者に必ずフロントに寄ってほしい場合にその部屋の使用者のキーの使用を一時的に禁止する場合等である。
【０００６】
【発明の目的】
本発明は、常時二種類のキーで施、解錠操作でき、一時的に一種類のキーの使用を禁止することができる可逆性のある新規なシリンダー錠を提供することを目的とするものである。
【０００７】
【発明の開示】
本発明に係るシリンダー錠は、シリンダー胴及びプラグの複数のコラムそれぞれに上下タンブラーを挿入し、一部のコラムにおいて上下タンブラーの間に補助タンブラーを介在させ、該補助タンブラーの上端をシリンダー胴とプラグのシャーライン上に揃える鍵山を有するキーと同補助タンブラーの下端をシリンダー胴とプラグのシャーライン上に揃える鍵山を有するキーの二種類のキーにより施、解錠操作できるようにするとともに、前記プラグの一部に前後長手方向の溝を形成してなるシリンダー錠であって、前記二種類のキーは常時において施、解錠操作ができる構成であり、前記溝には、補助タンブラーを受ける山部とその山部に連続するテーパー部並びにこのテーパー部に連続する谷部を有する制御部材を、常時プラグ前面側に付勢したスプリングを介して前後摺動自在に嵌挿してなり、前記キーによりプラグを回動して補助タンブラーが制御部材の山部で受けられている場合に、制御部材のプラグ前面側をスプリングの復元力に抗して押し込むことにより、補助タンブラーは上部タンブラーのスプリングにより制御部材の谷部の凹部に収納され、この押し込み状態でキーを元のキーの挿脱位置まで回動してキーを抜き、補助タンブラーをコラムから除去することによりキーの使用を禁止し、前記キーを使用してプラグを溝がシリンダー胴のコラムと一致する位置まで回動することにより、溝内の制御部材はスプリングの復元力により前方へ移動して、補助タンブラーはテーパー部の作用で押し上げられシリンダー胴のコラム内に戻り、キーの使用が可能となるように構成してあることを特徴とするものである。
【０００８】
【発明の作用】
補助タンブラーの下端をシャーライン上に揃えるキーの使用と制御部材を摺動させることにより補助タンブラーをプラグの溝内に落とし込んで補助タンブラーの上面をシャーライン上に揃えるキーの使用を禁止し、補助タンブラーの下端をシャーライン上に揃えるキーの使用により補助タンブラーを正規位置に戻し、補助タンブラーの上端をシャーライン上に揃えるキーの使用を可能とする。
【０００９】
【実施例】
本発明シリンダー錠の実施例を図面について具体的に説明する。
図１は、本発明シリンダー錠の正面図、図２は、補助タンブラーの上面をシャーライン上に揃えるキーを挿入した状態の本発明シリンダー錠の中央縦断側面図、図３は、補助タンブラーの下端をシャーライン上に揃えるキーを挿入した状態の同中央縦断側面図、図４は、図３の状態からキーを９０度回転させた状態における同中央縦断側面図、図５は、図４のＡ−Ａ線における断面図、図６は、図４の状態で、制御部材を押し込んだ状態における中央縦断側面図、図７は、図６のＢ−Ｂ線における断面図、図８は、補助タンブラーが除去され、補助タンブラーの上端をシャーライン上に揃えるキーを挿入した状態の中央縦断側面図、図９は、図８のＣ−Ｃ線における断面図、図１０は、図９のＤ−Ｄ線における断面図、図１１は、制御部材の拡大斜視図である。
【００１０】
１は、シリンダー胴、２は、同シリンダー胴に回転自在に嵌挿されるプラグで、コラムと直交する部分に後述する制御部材が前後摺動自在に嵌挿される前後長手方向の溝２１が形成されており、この溝の開口部の巾は後述の上部タンブラーが落ち込まないように上部タンブラーの径より狭くしてある。３…３は、シリンダー胴１に形成された複数のコラムにそれぞれスプリング３１を介して嵌挿されるピン状の上部タンブラー、４…４は、プラグ２に形成された複数のコラムにそれぞれ嵌挿されるピン状の下部タンブラーで、一部のコラムにおいて上部タンブラー３と下部タンブラー４の間にボール状の補助タンブラー５が挿入されている。６は、前記プラグ２の溝２１に常時プラグ前面側に付勢するスプリング７を介して前後摺動自在に嵌挿される制御部材で、大径部と小径部からなるロッド６ａの大径部に前記補助タンブラー５を受ける平坦状の山部６１とその山部に連続するテーパー部６２を有するフランジ６ｂが一体成形されており、また、テーパー部６２に連続する谷部６３に相当する部分に前記補助タンブラー５を安定した状態で収納する凹部が形成されており、ロッド６ａの小径部はプラグ２の前面部から溝２１に通じる小径部と略同径の孔２２に嵌通され、図示の状態以上に突出しないようにが規制されている。Ｋ１は、プラグ２のキー挿入溝に挿入したとき、補助タンブラー５のあるコラム以外のコラムで上下タンブラー３…３、４…４をシリンダー胴１とプラグ２のシャーライン上に揃え、補助タンブラー５の上端を同シャーライン上に揃える部屋の使用者用のキー、Ｋ２は、同じくプラグ２のキー挿入溝に挿入したとき、補助タンブラー５のあるコラム以外のコラムで上下タンブラー３…３、４…４をシリンダー胴１とプラグ２のシャーライン上に揃え、補助タンブラー５の下端を同シャーライン上に揃える管理人用のキーである。
【００１１】
キーＫ１、Ｋ２をそれぞれにプラグ２のキー挿入溝に挿入したときには図２、図３に示されるように補助タンブラー５の上端或いは下端がシャーライン上に揃えられるから、どちらのキーを使用してもプラグ２を回転させることが可能で、シリンダー錠は常時二種類のキーＫ１、Ｋ２で施、解錠操作可能である。
【００１２】
キーＫ２を使用してプラグ２を反時計方向に９０度回転させると、図４、図５に示されるような状態になる。この状態のときは補助タンブラー５はフランジ６ｂの平坦状の山部６１で受けられてシリンダー胴１側のコラム内に位置し、プラグ２の溝２１内に落ち込むことがないが、制御部材６のロッド６ａの小径部のプラグ前面に露出する部分を細いロッド等で押し込んでやると、制御部材６はスプリング７の復元力に抗して図６のように後退し、補助タンブラー５を受ける山部６１が後方に移動するため、補助タンブラー５は上部タンブラー３のスプリング３１に付勢されて溝２１内に図６、図７のように落ち込み、制御部材６の谷部６３に相当する凹部に収納される。制御部材６を押し込んだ状態の儘キーＫ２を元のキーの挿脱位置方迄回転させてキーＫ２を抜くと、補助タンブラー５は溝２１内の制御部材６の凹部に収納された儘となっており、スプリング７は圧縮された状態となった儘である。制御部材６の凹部に収納された補助タンブラー５は、溝２１を形成するときに形成された段部２１ａによってこれ以上前方向に移動しないように阻止されている。
【００１３】
この状態にあっては補助タンブラー５がコラムから除去された状態であるから、この状態のプラグ２にキーＫ１を挿入しても図８、図９のように補助タンブラー５があったコラムの上部タンブラー３がシャーラインを横切ってプラグ２内に落ち込むため、プラグ２を回転させることができず、キーＫ１の使用は禁止される。
【００１４】
この状態にあってはプラグ２にキーＫ２を挿入すれば全ての下部タンブラー４…４はその上端がシャーライン上に揃うので、プラグ２は回転可能であり、キーＫ２を使用してプラグ２を溝２１がシリンダー胴１のコラムと一致する位置迄回転させると、溝２１内の制御部材６はスプリング７の復元力により常時前方向に摺動しようとしており、補助タンブラー５は、段部２１ａによってこれ以上前方向に移動しないように阻止されているので、この制御部材６の前方への移動によりテーパ部６２の作用によって押し上げられ、元のシリンダー胴１のコラム内に戻って図４の状態に復帰するため、元の通り図２に示されるようにキーＫ１の使用も可能となる。
【００１５】
つまり、本発明に係るシリンダー錠は可逆性を有するものであって、キーＫ２の使用と制御部材を操作することによりキーＫ１の使用を一時的に禁止し、再びキーＫ２を使用することによりキーＫ２のみならずキーＫ１の二種類のキーの使用を可能とするものである。
【００１６】
また、このシリンダー錠をコンストラクションキー用のシリンダー錠として使用する場合は上述の可逆性をなくせばよいもので、キーＫ１を工事関係者用のキーとして工事関係者に渡しておき、建物の建築が終了した時点で制御部材６を押し込み、この押し込んだ状態を保持するようにしてプラグ前面部の孔２２に蓋をしておけば、その部屋の所有者または使用者が所有するキーＫ２を最初に使用したときに補助タンブラー５がプラグ２の溝２１に落ち込んでその状態が保持されるため、以後キーＫ２を使用してもキーＫ１の使用が禁止され、建築工事終了後の安全性が確保される。
【００１７】
建築工事終了後、内装の手直し工事等で再び工事関係者が出入りする必要性が生じたときには、前記蓋を外し、制御部材６を押し込んだ状態を解除してやれば再びキーＫ１の使用が可能となり、錠自体を分解することなく再びコンストラクション用のシリンダー錠として機能させることができるものである。
【００１８】
【発明の効果】
本発明に係るシリンダー錠によれば、一部のコラムの上下タンブラーの間に補助タンブラーを介在させ、該補助タンブラーの下端をシリンダー胴とプラグのシャーライン上に揃える鍵山を有するキーと同補助タンブラーの下端をシリンダー胴とプラグのシャーライン上に揃える鍵山を有するキーの二種類のキーにより施、解錠操作できるようにするとともに、前記プラグの一部に前後長手方向の溝を形成してなるシリンダー錠であって、前記二種類のキーは常時において施、解錠操作ができる構成であり、補助タンブラーを上下タンブラーの間から除去してプラグ内に収納し、一種類のキーの使用を不能とした後、何時でも補助タンブラーを元の位置に戻せる可逆性を持たすようにしたものであるから、常時二種類のキーで施、解錠操作でき、一時的に一種類のキーの使用を禁止したい場合が生じても簡単な操作で対処することができて便利である。
すなわち、前記二種類のキーは常時において施、解錠操作ができる構成であり、前記溝には、補助タンブラーを受ける山部とその山部に連続するテーパー部並びにこのテーパー部に連続する谷部を有する制御部材を、常時プラグ前面側に付勢したスプリングを介して前後摺動自在に嵌挿してなり、前記キーによりプラグを回動して補助タンブラーが制御部材の山部で受けられている場合に、制御部材のプラグ前面側をスプリングの復元力に抗して押し込むことにより、補助タンブラーは上部タンブラーのスプリングにより制御部材の谷部の凹部に収納され、この押し込み状態でキーを元のキーの挿脱位置まで回動してキーを抜き、補助タンブラーをコラムから除去することによりキーの使用を禁止し、前記キーを使用してプラグを溝がシリンダー胴のコラムと一致する位置まで回動することにより、溝内の制御部材はスプリングの復元力により前方へ移動して、補助タンブラーはテーパー部の作用で押し上げられシリンダー胴のコラム内に戻り、キーの使用が可能となる。
【００１９】
また、本発明シリンダー錠をコンストラクションキー用のシリンダー錠として使用する場合でも簡単な操作を行うだけでその機能を持たすことができ、一旦一種類のキーの使用を不能としても再び二種類のキーの使用を可能とすることができるので、建物の建築工事終了後、内装の手直し工事等で再び工事関係者が出入りする必要性が生じたときでもコンストラクションキー用のシリンダー錠の機能を復活させることができて便利であり、シリンダー錠の製作過程における製品検査のときであっても、使用してはならないキーを誤って使用してしまって錠自体を分解しなければならないという事態が起こることがなく、安心して錠を組み立てることができるという効果を有するものである。
【図面の簡単な説明】
【図１】本発明シリンダー錠の正面図である。
【図２】補助タンブラーの上面をシャーライン上に揃えるキーを挿入した状態の本発明シリンダー錠の中央縦断側面図である。
【図３】補助タンブラーの下端をシャーライン上に揃えるキーを挿入した状態の同中央縦断側面図である。
【図４】図３の状態からキーを９０度回転させた状態における同中央縦断側面図である。
【図５】図４のＡ−Ａ線における断面図である。
【図６】図４の状態で、制御部材を押し込んだ状態における中央縦断側面図である。
【図７】図６のＢ−Ｂ線における断面図である。
【図８】補助タンブラーが除去され、補助タンブラーの上面をシャーライン上に揃えるキーを挿入した状態の中央縦断側面図である。
【図９】図８のＣ−Ｃ線における断面図である。
【図１０】図９のＤ−Ｄ線における断面図である。
【図１１】制御部材の拡大斜視図である。
【符号の説明】
１          シリンダー胴
２          プラグ
２１        溝
３          上部タンブラー
３１        スプリング
４          下部タンブラー
５          補助タンブラー
６          制御部材
６１        山部
６２        谷部
７          スプリング
Ｋ１        キー
Ｋ２        キー
【図１】
0003714564.tif 000002
【図２】
0003714564.tif 000003
【図３】
0003714564.tif 000004
【図４】
0003714564.tif 000005
【図５】
0003714564.tif 000006
【図６】
0003714564.tif 000007
【図７】
0003714564.tif 000008
【図８】
0003714564.tif 000009
【図９】
0003714564.tif 000010
【図１０】
0003714564.tif 000011
【図１１】
0003714564.tif 000012